(57)【要約】【課題】施工性の向上を図ることができるケーブル、固定具、保護具、および電気接続具を提供する。【解決手段】ケーブルは、ケーブル本体と、前記ケーブル本体に設けられた固定具とを備える。前記固定具は、前記ケーブル本体が電気的に接続される装置を収容する筐体の取付部、前記筐体内に配置される支持部材の取付部、またはコンセントユニットの取付部に前記固定具を係止する係止部を有する。【選択図】図９
2018174109.tif 000002
【特許請求の範囲】
【請求項１】
ケーブル本体と、
前記ケーブル本体に設けられた固定具であって、前記ケーブル本体が電気的に接続される装置を収容する筐体の取付部、前記筐体内に配置される支持部材の取付部、またはコンセントユニットの取付部に前記固定具を係止する係止部を有した固定具と、
を備えたことを特徴とするケーブル。
【請求項２】
前記固定具は、前記ケーブル本体に固着されている、
ことを特徴とする請求項１に記載のケーブル。
【請求項３】
前記取付部は、前記筐体、前記支持部材、または前記コンセントユニットに設けられた固定穴であり、
前記係止部は、前記固定穴に挿入される突起部、または前記固定穴に取り付けられる取付具に向けてねじが通されるねじ穴を有した、
ことを特徴とする請求項１または請求項２に記載のケーブル。
【請求項４】
前記固定具は、別のケーブルの固定具の係止部が係止される取付部を有した、
ことを特徴とする請求項１から請求項３のいずれか１項に記載のケーブル。
【請求項５】
前記固定具の取付部は、前記筐体の取付部、前記支持部材の取付部、若しくは前記コンセントユニットの取付部と略同一形状の部分、または前記筐体の取付部、前記支持部材の取付部、若しくは前記コンセントユニットの取付部に取り付けられる取付具のねじ穴と略同一形状の部分を含む、
ことを特徴とする請求項４に記載のケーブル。
【請求項６】
前記ケーブル本体は、前記固定具の内部を通って延びて前記装置に電気的に接続される第１接続導体を含み、
前記固定具は、前記第１接続導体に接続された第１電気部品を含む、
ことを特徴とする請求項１から請求項５のいずれか１項に記載のケーブル。
【請求項７】
前記第１電気部品は、前記第１接続導体に介挿されたヒューズである、
ことを特徴とする請求項６に記載のケーブル。
【請求項８】
前記固定具は、それぞれ前記ケーブルの延伸方向に延びるとともに互いに異なる方向に向いた複数の面を有し、
前記係止部は、前記複数の面のなかで、前記第１電気部品に最も近い面とは異なる面に設けられた、
ことを特徴とする請求項６または請求項７に記載のケーブル。
【請求項９】
前記ケーブル本体は、前記固定具の内部を通って延びて前記装置に電気的に接続される第２接続導体を含み、
前記固定具は、前記第２接続導体に接続された第２電気部品を含み、
前記固定具は、別のケーブルの固定具の係止部が係止される取付部を有し、
前記固定具の取付部は、前記複数の面のなかで、前記第２電気部品に最も近い面とは異なる面に設けられた、
ことを特徴とする請求項８に記載のケーブル。
【請求項１０】
前記第１電気部品および前記第２電気部品は、前記ケーブルの延伸方向および前記ケーブルの延伸方向とは略直交した直交方向のそれぞれで互いにずれた位置に配置され、
前記係止部は、前記直交方向で前記第１電気部品と並ぶとともに、前記ケーブルの延伸方向で前記第２電気部品とは異なる位置に配置された、
ことを特徴とする請求項９に記載のケーブル。
【請求項１１】
前記固定具の取付部は、前記直交方向で前記第２電気部品と並ぶとともに、前記ケーブルの延伸方向で前記第１電気部品とは異なる位置に配置された、
ことを特徴とする請求項１０に記載のケーブル。
【請求項１２】
前記固定具は、互いに異なる方向に向いた複数の面を有するとともに、別のケーブルの固定具の係止部が係止される取付部を前記複数の面のうち２以上の面にそれぞれ有した、
ことを特徴とする請求項１から請求項１１のいずれか１項に記載のケーブル。
【請求項１３】
前記固定具は、前記ケーブル本体の途中に設けられた、
ことを特徴とする請求項１から請求項１２のいずれか１項に記載のケーブル。
【請求項１４】
前記固定具は、前記ケーブル本体の端部に設けられたコネクタと一体に形成された、
ことを特徴とする請求項１から請求項１２のいずれか１項に記載のケーブル。
【請求項１５】
コード部と、電気部品が設けられて前記コード部よりも外形が太い機能部とを含むケーブルの前記機能部を保持する保持部と、
前記ケーブルが電気的に接続される装置を収容する筐体の取付部、前記筐体内に配置される支持部材の取付部、またはコンセントユニットの取付部に前記保持部を係止する係止部と、
を備えたことを特徴とする固定具。
【請求項１６】
第１ケーブルの第１コネクタと、第２ケーブルの第２コネクタとが離れないように前記第１コネクタと前記第２コネクタとを保持する保持部と、
前記第１ケーブルが電気的に接続される装置を収容する筐体の取付部、前記筐体内に配置される支持部材の取付部、またはコンセントユニットの取付部に前記保持部を係止する係止部と、
を備えたことを特徴とする保護具。
【請求項１７】
第１ケーブルの第１コネクタと、第２ケーブルの第２コネクタとが離れないように前記第１コネクタと前記第２コネクタとを保持する保護具であって、
前記第１コネクタは、前記第１ケーブルが電気的に接続される装置を収容する筐体の取付部、前記筐体内に配置される支持部材の取付部、またはコンセントユニットの取付部に係止される係止部を有し、
前記保護具は、前記係止部を外れた位置で、前記第１コネクタと前記第２コネクタとを保持する、
ことを特徴とする保護具。
【請求項１８】
第１ケーブルの第１コネクタと第２ケーブルの第２コネクタとが接続される接続部と、
前記第１ケーブルが電気的に接続される装置を収容する筐体の取付部、前記筐体内に配置される支持部材の取付部、またはコンセントユニットの取付部に前記接続部を係止する係止部と、
を備えたことを特徴とする電気接続具。
【発明の詳細な説明】
【技術分野】
【０００１】
本発明は、ケーブル、固定具、保護具、および電気接続具に関する。
【背景技術】
【０００２】
筐体に収容された複数の装置に対して電力を供給する複数のケーブルが設けられる場合がある。また、ワイヤーハーネスを束ねる部材を利用して当該ワイヤーハーネスを取付対象物に固定するワイヤーハーネス用部材セットが提案されている（例えば、特許文献１参照）。この特許文献１に記載のワイヤーハーネス用部材セットは、ワイヤーハーネスに巻き付けられるバンド部を有した保持部材と、前記保持部材に取り付けられ、ワイヤーハーネスが固定される取付対象物の取付穴に係止されるクリップ部とを有する。
【先行技術文献】
【特許文献】
【０００３】
【特許文献１】特開２０１３−２３６４７４号公報
【発明の概要】
【発明が解決しようとする課題】
【０００４】
ところで、特許文献１に記載のワイヤーハーネス用部材セットでは、保持部材のバンド部をワイヤーハーネスに巻き付ける作業と、前記保持部材に対してクリップ部を取り付ける作業と、取付対象物の取付穴に前記クリップ部を係止する作業とが必要になる。このため、施工が煩雑になる可能性がある。
【０００５】
本発明は、このような事情に鑑みてなされたものであり、施工性の向上を図ることができるケーブル、固定具、保護具、および電気接続具を提供することを目的とする。
【課題を解決するための手段】
【０００６】
（１）本発明の一態様は、ケーブル本体と、前記ケーブル本体に設けられた固定具であって、前記ケーブル本体が電気的に接続される装置を収容する筐体の取付部、前記筐体内に配置される支持部材の取付部、またはコンセントユニットの取付部に前記固定具を係止する係止部を有した固定具と、を備えたことを特徴とするケーブルである。
【０００７】
（２）上記のケーブルにおいて、前記固定具は、前記ケーブル本体に固着されている。
【０００８】
（３）上記のケーブルにおいて、前記取付部は、前記筐体、前記支持部材、または前記コンセントユニットに設けられた固定穴であり、前記係止部は、前記固定穴に挿入される突起部、または前記固定穴に取り付けられる取付具に向けてねじが通されるねじ穴を有する。
【０００９】
（４）上記のケーブルにおいて、前記固定具は、別のケーブルの固定具の係止部が係止される取付部を有する。
【００１０】
（５）上記のケーブルにおいて、前記固定具の取付部は、前記筐体の取付部、前記支持部材の取付部、若しくはコンセントユニットの取付部と略同一形状の部分、または前記筐体の取付部、前記支持部材の取付部、若しくは前記コンセントユニットの取付部に取り付けられる取付具のねじ穴と略同一形状の部分を含む。
【００１１】
（６）上記のケーブルにおいて、前記ケーブル本体は、前記固定具の内部を通って延びて前記装置に電気的に接続される第１接続導体を含み、前記固定具は、前記第１接続導体に接続された第１電気部品を含む。
【００１２】
（７）上記のケーブルにおいて、前記第１電気部品は、前記第１接続導体に介挿されたヒューズである。
【００１３】
（８）上記のケーブルにおいて、前記固定具は、それぞれ前記ケーブルの延伸方向に延びるとともに互いに異なる方向に向いた複数の面を有し、前記係止部は、前記複数の面のなかで、前記第１電気部品に最も近い面とは異なる面に設けられている。
【００１４】
（９）上記のケーブルにおいて、前記ケーブル本体は、前記固定具の内部を通って延びて前記装置に電気的に接続される第２接続導体を含み、前記固定具は、前記第２接続導体に接続された第２電気部品を含み、前記固定具は、別のケーブルの固定具の係止部が係止される取付部を有し、前記固定具の取付部は、前記複数の面のなかで、前記第２電気部品に最も近い面とは異なる面に設けられている。
【００１５】
（１０）上記のケーブルにおいて、前記第１電気部品および前記第２電気部品は、前記ケーブルの延伸方向および前記直交方向のそれぞれで互いにずれた位置に配置され、前記係止部は、前記直交方向で前記第１電気部品と並ぶとともに、前記ケーブルの延伸方向で前記第２電気部品とは異なる位置に配置されている。
【００１６】
（１１）上記のケーブルにおいて、前記固定具の取付部は、前記直交方向で前記第２電気部品と並ぶとともに、前記ケーブルの延伸方向で前記第１電気部品とは異なる位置に配置されている。
【００１７】
（１２）上記のケーブルにおいて、前記固定具は、互いに異なる方向に向いた複数の面を有するとともに、別のケーブルの固定具の係止部が係止される取付部を前記複数の面のうち２以上の面にそれぞれ有する。
【００１８】
（１３）上記のケーブルにおいて、前記固定具は、前記ケーブル本体の途中に設けられている。
【００１９】
（１４）上記のケーブルにおいて、前記固定具は、前記ケーブル本体の端部に設けられたコネクタと一体に形成されている。
【００２０】
（１５）本発明の一態様は、コード部と電気部品が設けられて前記コード部よりも外形が太い機能部とを含むケーブルの前記機能部を保持する保持部と、前記ケーブルが電気的に接続される装置を収容する筐体の取付部、前記筐体内に配置される支持部材の取付部、またはコンセントユニットの取付部に前記保持部を係止する係止部と、を備えたことを特徴とする固定具である。
【００２１】
（１６）本発明の一態様は、第１ケーブルの第１コネクタと第２ケーブルの第２コネクタとが離れないように前記第１コネクタと前記第２コネクタとを保持する保持部と、前記第１ケーブルが電気的に接続される装置を収容する筐体の取付部、前記筐体内に配置される支持部材の取付部、またはコンセントユニットの取付部に前記保持部を係止する係止部と、を備えたことを特徴とする保護具である。
【００２２】
（１７）本発明の一態様は、第１ケーブルの第１コネクタと第２ケーブルの第２コネクタとが離れないように前記第１コネクタと前記第２コネクタとを保持する保護具であって、前記第１コネクタは、前記第１ケーブルが電気的に接続される装置を収容する筐体の取付部、前記筐体内に配置される支持部材の取付部、またはコンセントユニットの取付部に係止される係止部を有し、前記保護具は、前記係止部を外れた位置で、前記第１コネクタと前記第２コネクタとを保持する、ことを特徴とする保護具である。
【００２３】
（１８）本発明の一態様は、第１ケーブルの第１コネクタと第２ケーブルの第２コネクタとが接続される接続部と、前記第１ケーブルが電気的に接続される装置を収容する筐体の取付部、前記筐体内に配置される支持部材の取付部、またはコンセントユニットの取付部に前記接続部を係止する係止部と、を備えたことを特徴とする電気接続具である。
【発明の効果】
【００２４】
本発明によれば、施工性の向上を図ることができるケーブル、固定具、保護具、および電気接続具を提供することができる。
【図面の簡単な説明】
【００２５】
【図１】第１の実施形態の給電システムの一例を示す斜視図である。
【図２】第１の実施形態のケーブルを用いた配線構造の一例を示す図である。
【図３】第１の実施形態のケーブルの一部を示す斜視図である。
【図４】第１の実施形態のケーブルの一部の内部構成を示す斜視図である。
【図５】第１の実施形態のケーブルを示す断面図である。
【図６】第１の実施形態のケーブルの電気的な接続関係を示す接続図である。
【図７】図３中に示されたケーブルのＦ７−Ｆ７線に沿う断面図である。
【図８】第１の実施形態の筐体の内部の一例を示す斜視図である。
【図９】第１の実施形態の支持部材およびケーブルを示す斜視図である。
【図１０】第１の実施形態の固定具を利用したケーブルの固定方法を示す断面図である。
【図１１】第１の実施形態の第１変形例のケーブルを示す断面図である。
【図１２】第１の実施形態の第２変形例のケーブルを示す断面図である。
【図１３】第２の実施形態のケーブルの一部を示す断面図である。
【図１４】第３の実施形態のケーブルの一部を示す図である。
【図１５】第３の実施形態のケーブルを示す断面図である。
【図１６】第３の実施形態の固定具を利用したケーブルの固定方法の一例を示す断面図である。
【図１７】第３の実施形態の変形例のケーブルを示す断面図である。
【図１８】第４の実施形態のケーブルを示す斜視図である。
【図１９】第５の実施形態のケーブルおよび固定具を示す図である。
【図２０】第６の実施形態のケーブルおよび保護具を示す図である。
【図２１】第７の実施形態のケーブルおよび保護具を示す図である。
【図２２】第８の実施形態のケーブルおよび電気接続具を示す図である。
【図２３】全ての実施形態の係止部および取付部の第１変形例を示す斜視図である。
【図２４】全ての実施形態の係止部および取付部の第２変形例を示す斜視図である。
【発明を実施するための形態】
【００２６】
以下、実施形態のケーブル、固定具、保護具、および電気接続具について説明する。なお以下の説明では、同一または類似の機能を有する構成に同一の符号を付す。そして、それら構成の重複する説明は省略する場合がある。
【００２７】
（第１の実施形態）
まず、第１の実施形態のケーブル１４が利用される給電システム１の一例について説明する。なお、給電システム１の構成は、後述する全ての実施形態（例えば、固定具９０、保護具１００、保護具１１０、および電気接続具１２０が利用される給電システム）でも例えば共通である。
【００２８】
図１は、本実施形態のケーブル１４が利用される給電システム１の一例を示す斜視図である。図１に示すように、給電システム１は、例えば、電源装置１１と、複数の負荷１２と、コンセントユニット１３と、複数のケーブル１４と、筐体１５とを含む。
【００２９】
電源装置１１は、例えば、複数の負荷１２に直流電力を供給する直流電源装置である。電源装置１１は、電源ＰＳから供給される交流電力を直流電力に変換する整流装置でもよく、電源ＰＳから供給される電力を所定の電力に変換するコンバータでもよい。
【００３０】
負荷１２は、例えば、電源装置１１から供給される直流電力により機能する。負荷１２は、「装置」の一例である。負荷１２は、サーバ装置または通信機器などであるが、これらに限定されない。複数の負荷１２は、例えば、共通の筐体１５に収容されている。
【００３１】
コンセントユニット１３は、複数の接続ポート２１ａ（図２参照）が設けられたポート部（コンセント本体）２１と、ポート部２１を電源装置１１に電気的に接続するための電源コード２２とを有する。なお、コンセントユニット１３は、電源コード２２に代えて、電源装置１１に電気的に接続されるための端子を有してもよい。また、電源装置１１と筐体１５との間の電路には、分電盤などが設けられてもよい。
【００３２】
ケーブル１４は、コンセントユニット１３の接続ポート２１ａに接続される。ケーブル１４は、コンセントユニット１３と負荷１２とを電気的に接続し、電源装置１１からの電力を負荷１２に供給する。
【００３３】
筐体１５は、複数の負荷１２、コンセントユニット１３のポート部２１、および複数のケーブル１４を収容する。なお、筐体１５に収容される負荷１２の数、コンセントユニット１３の数、およびケーブル１４の数は、図示した例に限定されず、それぞれ任意に決めることができる。
【００３４】
次に、本実施形態のケーブル１４について説明する。
図２は、本実施形態のケーブル１４を用いた筐体１５内の配線構造の一例を示す図である。図２に示すように、コンセントユニット１３は、電源装置１１など外部電源から供給される電力をコンセントユニット１３の内部回路によって複数の接続ポート２１ａに分配する。複数の接続ポート２１ａは、例えば、互いに同じ形状のコネクタが接続可能な形状を有する。「同じ形状のコネクタ」とは、端子の位置および配列が互いに同じコネクタを意味する。
【００３５】
ケーブル１４は、例えば、第１コネクタ３１、第２コネクタ３２、およびコード部３３を有する。第１コネクタ３１は、コンセントユニット１３の接続ポート２１ａに着脱可能に接続される。第２コネクタ３２は、負荷１２に設けられた不図示のコネクタに着脱可能に接続される。コード部３３は、第１コネクタ３１と第２コネクタ３２との間を延びており、第１コネクタ３１と第２コネクタ３２とを電気的に接続する。本実施形態では、第１コネクタ３１、第２コネクタ３２、およびコード部３３を合わせて「ケーブル本体」と称する。
【００３６】
また、本実施形態のケーブル１４は、所望の電気的機能が付加された機能ケーブルである。本実施形態では、ケーブル１４は、例えばコード部３３の途中に設けられた機能部（機能付加部）３５を有する。機能部３５は、ケーブル１４に付加される所望の機能を実現するための任意の電気部品（電気機能素子）を含む。機能部３５は、コード部３３よりも外形が太い（周囲長が長い）。すなわち、機能部３５は、ケーブル１４の延伸方向Ｘとは略直交する方向Ｙに沿う断面積がコード部３３よりも大きい（図３参照）。なお以下では、「ケーブル１４の延伸方向Ｘ」を、単に「ケーブル延伸方向Ｘ」と称する。また、「ケーブル１４の延伸方向Ｘとは略直交する方向Ｙ」を、単に「直交方向Ｙ」と称する。
【００３７】
次に、ケーブル１４の機能部３５について詳しく説明する。
図３は、ケーブル１４の一部を示す斜視図である。図４は、ケーブル１４の一部の内部構成を示す斜視図である。図５は、ケーブル１４を示す断面図である。図６は、ケーブル１４の電気的な接続関係を示す接続図である。図７は、図３中に示されたケーブル１４のＦ７−Ｆ７線に沿う断面図である。
【００３８】
コード部３３は、例えば、第１コネクタ３１の端子と第２コネクタ３１の端子とをそれぞれ接続するための３芯以上の接続導体と、接続導体を保護する絶縁部材（被膜材）４２とを有する。３芯の接続導体は、例えば、接続導体Ｈ（第１接続導体）と、接続導体Ｃ（第２接続導体）と、接続導体Ｇ（第３接続導体）とである。接続導体Ｈには、電源側から正極が印加される。接続導体Ｃには、電源側から負極が印加される。接続導体Ｇは、接地される。なお、以下の説明において、接続導体Ｈ、接続導体Ｃ、および接続導体Ｇを互いに区別しない場合には、「接続導体４１」と称する。
【００３９】
接続導体４１は、第１コネクタ３１と第２コネクタ３２とを接続するように、機能部３５の内部を通ってコード部３３の略全長に延びている。接続導体４１は、第２コネクタ３２を介して負荷１２に電気的に接続される。例えば、接続導体４１は、負荷１２の消費電力に適合するように太さや材質などが決められている。
【００４０】
本実施形態では、機能部３５は、コード部３３に対してケーブル延伸方向Ｘに移動しないように、コード部３３に固着されている。機能部３５は、例えば、第１電気部品（第１電気機能素子）５１と、第２電気部品（第２電気機能素子）５２と、保護部５３とを有する。
【００４１】
本実施形態では、第１電気部品５１は、接続導体Ｈに接続された第１ヒューズである。第２電気部品５２は、接続導体Ｃに接続された第２ヒューズである。なお、以下の説明では、理解容易のため、「第１電気部品５１」を「第１ヒューズ５１」、「第２電気部品５２」を「第２ヒューズ５２」とそれぞれ称する。ただし、第１電気部品５１および第２電気部品５２は、ヒューズに限定されない。第１電気部品５１および第２電気部品５２の別の例は、後述する。
【００４２】
第１ヒューズ５１および第２ヒューズ５２は、例えば、電流遮断特性が互いに同じタイプである。第１ヒューズ５１および第２ヒューズ５２の電流遮断特性の許容電流値は、負荷１２の消費電力に適合し、かつ、ケーブル１４の許容過電流特性に適合する。第１ヒューズ５１は、接続導体Ｈに介挿されている。第１ヒューズ５１は、接続導体Ｈに過電流が流れることにより接続導体Ｈの導通を遮断する。第２ヒューズ５２は、接続導体Ｃに介挿されている。第２ヒューズ５２は、接続導体Ｃに過電流が流れることにより接続導体Ｃの導通を遮断する。
【００４３】
第１ヒューズ５１および第２ヒューズ５２は、例えば、コード部３３の絶縁部材４２の外径よりも細い径の円筒状のガラス材５０ａで保護されている。ガラス材５０ａの外径は、接続導体４１の外径よりも太い。このため、第１ヒューズ５１および第２ヒューズ５２の各々は、直交方向Ｙに沿う断面積が接続導体４１よりも大きい。すなわち、第１ヒューズ５１は、直交方向Ｙに沿う断面積が、接続導体Ｈ、接続導体Ｃ、および接続導体Ｇの各々よりも大きい。また、第２ヒューズ５２は、直交方向Ｙに沿う断面積が、接続導体Ｈ、接続導体Ｃ、および接続導体Ｇの各々よりも大きい。
【００４４】
各ヒューズ５１，５２のガラス材５０ａの軸方向の両端部には、各ヒューズ５１，５２の端子がそれぞれ設けられている。各ヒューズ５１，５２の端子には、ガラス材５０ａの軸方向を接続導体４１の延伸方向とを略一致させるようにして、対応する接続導体４１が接続される。この接続方法としては、溶接、カシメなどの方法により、各ヒューズ５１，５２と各接続導体４１とを直接的に接続する各種方法が選択されてもよいし、各ヒューズ５１，５２と各接続導体４１とを別の接続素子を介して間接的に接続する方法が選択されてもよい。間接的に接続する方法の一例は、いわゆるヒューズホルダーが前記接続素子として用いられる方法である。
【００４５】
第１ヒューズ５１および第２ヒューズ５２は、ケーブル延伸方向Ｘで互いに異なる位置（互いにずれた位置）に配置されている。例えば、第１ヒューズ５１および第２ヒューズ５２は、直交方向Ｙで互いに重ならないように、ケーブル延伸方向Ｘで離れた位置に配置されている。すなわち、第１ヒューズ５１は、直交方向Ｙで、接続導体Ｃおよび接続導体Ｇと並ぶ。第２ヒューズ５２は、直交方向Ｙで、接続導体Ｈおよび接続導体Ｇと並ぶ。本実施形態では、第１ヒューズ５１および第２ヒューズ５２は、ケーブル延伸方向Ｘで、距離ｘほど離間して配置される。距離ｘは、第１ヒューズ５１の端子と接続導体Ｈとの接続部が、第２ヒューズ５２の端子と接続導体Ｃとの接続部に対して、所望の電圧で電気的な絶縁が保たれるように決定される。また、第１ヒューズ５１および第２ヒューズ５２は、互いに異なる接続導体４１に接続されることで、直交方向Ｙで互いにずれた位置に配置されている。
【００４６】
保護部５３は、外力から第１ヒューズ５１および第２ヒューズ５２を保護するための部分である。保護部５３は、第１ヒューズ５１、第２ヒューズ５２、および機能部３５の内部に延びた３芯の接続導体４１を一体に覆う絶縁部である。保護部５３は、例えば、絶縁性の樹脂材料により形成されたモールド部である。保護部５３の一例は、硬質材料で形成され、外力が作用した場合でも変形しない。ただし、保護部５３は、上記例に限定されない。保護部５３の一部または全部は、例えばゴム材料のような弾性体で形成され、外力が作用した場合に所定の許容範囲内で変形してもよい。保護部５３は、第１ヒューズ５１と第２ヒューズ５２との間に、線間絶縁部を有してもよい。線間絶縁部は、第１ヒューズ５１と第２ヒューズ５２との間を電気的に絶縁する。
【００４７】
図５は、ケーブル１４の複数の位置の断面を示す断面図である。
図５（ａ）は、図４中のＳ−Ｓ’線に沿う断面図である。図５（ａ）は、第１ヒューズ５１および第２ヒューズ５２が配置されていない位置であって、接続導体４１がコード部３３の絶縁部材４２に覆われている位置を代表するものである。図５（ａ）に示すように、接続導体Ｈと、接続導体Ｃと、接続導体Ｇとは、ケーブル１４の中心（軸心）Ｐから各接続導体４１の中心までの距離が略等距離になるように配置され、これらを保護する絶縁部材４２に覆われている。
【００４８】
図５（ｂ）は、図４中のＴ−Ｔ’線に沿う断面図である。図５（ｂ）は、第１ヒューズ５１が配置された位置を代表するものである。図５（ｂ）に示されるように、ケーブル１４は、図５（ａ）の接続導体Ｈに代えて、第１ヒューズ５１と、接続導体Ｃと、接続導体Ｇとが、ケーブル１４の中心Ｐを基準に対称になるように配置され、これらを保護する保護部５３に覆われている。なお、第１ヒューズ５１の内部の記載を省略する。
【００４９】
図５（ｃ）は、図４中のＵ−Ｕ’線に沿う断面図である。図５（ｃ）は、第２ヒューズ５２が配置された位置を代表するものである。図５（ｃ）に示されるように、ケーブル１４は、図５（ａ）の接続導体Ｃに代えて、第２ヒューズ５２と、接続導体Ｈと、接続導体Ｇとが、ケーブル１４の中心Ｐを基準に対称になるように配置され、これらを保護する保護部５３に覆われている。なお、第２ヒューズ５２の内部の記載を省略する。
【００５０】
複数の接続導体４１のうち、例えば、第１ヒューズ５１が配置された位置における接続導体Ｈ以外の接続導体Ｃおよび接続導体Ｇについては、切断されずにそのまま利用されてもよい。同様に、複数の接続導体４１のうち、第２ヒューズ５２が配置された位置における接続導体Ｃ以外の接続導体Ｈおよび接続導体Ｇについては、切断せずにそのまま利用されてもよい。これらの場合、第１ヒューズ５１が配置された位置において、第１ヒューズ５１が接続されていない２芯の接続導体４１の径は、ヒューズ５１，５２が配置されていない部分の接続導体４１の径と同じになる。同様に、第２ヒューズ５２が配置された位置において、第２ヒューズ５２が接続されていない２芯の接続導体４１の径は、ヒューズ５１，５２が配置されていない部分の接続導体４１の径と同じになる。
【００５１】
次に、本実施形態の機能部３５の固定具としての機能について説明する。
本実施形態の機能部３５は、ケーブル１４に所望の電気的機能を付加する機能部であるとともに、筐体１５または筐体１５内に配置される支持部材６０に対してケーブル１４を固定する固定具として機能する。言い換えると、複数のヒューズ５１，５２を保護するための保護部５３が利用されてケーブル１４を固定する固定具が形成されている。以下、固定具としての機能部３５について説明する。なお以下の説明では、理解容易のため、「機能部３５」を「固定具３５」と称し、「保護部５３」を「固定具本体５３」と称する。なお、本願でいう「固定具」とは、固定または取り付けのために用いられる部材を広く意味する。例えば、「固定具」とは、他の部材（例えば、ねじやその他の留め具）と組み合わされることで固定機能を発揮するものも含む。このため、「固定具」は、「固定用部材」または「取付用部材」のような別の表現で称されてもよい。
【００５２】
図３に示すように、固定具３５は、固定具本体５３と、係止部７０とを有する。
固定具本体５３は、例えば、直方体状に形成されている。固定具本体５３は、第１面部Ｓ１と、第２面部Ｓ２とを有する。第１面部Ｓ１および第２面部Ｓ２は、ケーブル１４の中心Ｐに対して互いに反対側に位置する（図５参照）。第１面部Ｓ１および第２面部Ｓ２は、互いに略平行に、ケーブル延伸方向Ｘに延びている。図５に示すように、接続導体Ｈおよび第１ヒューズ５１は、第１面部Ｓ１に対してよりも、第２面部Ｓ２の近くに位置する。一方で、接続導体Ｃ、接続導体Ｇ、および第２ヒューズ５２は、第２面部Ｓ２に対してよりも、第１面部Ｓ１の近くに位置する。本実施形態では、第１面部Ｓ１は、接続導体Ｃおよび接続導体Ｇが並ぶ方向と略平行に広がる。
【００５３】
また、図３に示すように、固定具本体５３は、第１部分５３ａと、第２部分５３ｂとを含む。第１部分５３ａは、固定具本体５３のなかで、第１ヒューズ５１を覆う部分である。第１部分５３ａは、直交方向Ｙで第１ヒューズ５１と並ぶ。一方で、第２部分５３ｂは、固定具本体５３のなかで、第２ヒューズ５２を覆う部分である。第２部分５３ｂは、直交方向Ｙで第２ヒューズ５２と並ぶ。
【００５４】
次に、係止部７０について説明する。
図８は、筐体１５の内部の一例を示す斜視図である。図８に示すように、筐体１５の内部には、１つ以上の支持部材６０が配置されている。支持部材６０は、例えば、鉛直方向に延びた支柱である。支持部材６０は、負荷１２を支持する支持部材でもよいし、負荷１２とは異なる別の部材（例えば、ケーブル１４など負荷１２の付属部品）を支持する支持部材でもよい。
【００５５】
図９は、支持部材６０およびケーブル１４を示す斜視図である。図９に示すように、支持部材６０は、複数の取付部６１を有する。複数の取付部６１は、支持部材６０の長手方向（例えば、鉛直方向）に沿って、所定の間隔（例えば間隔Ｌ１）で配置されている。支持部材６０は、例えば、前壁６３と、前壁６３の両側端部から前壁６３に対して折れ曲がった第１側壁６４および第２側壁６５（図１６参照）を有する。取付部６１は、例えば、支持部材６０の前壁６３を貫通した固定穴である。固定穴は、例えば、四角形状に形成されている。ただし、固定穴の形状は、上記例に限定されない。固定穴は、円形状や楕円形状でもよいし、四角形以外の多角形状でもよいし、その他の形状でもよい。また、固定穴は、貫通穴でもよいし、凹部のような有底の穴でもよい。
【００５６】
また、コンセントユニット１３のポート部２１は、当該ポート部２１を略鉛直方向にして筐体１５の内側に配置されている。複数のポート２１ａは、ポート部２１の長手方向（例えば、略鉛直方向）に沿って、所定の間隔（例えば間隔Ｌ２）で配置されている。間隔Ｌ２は、間隔Ｌ１と同じでもよく、異なってもよい。
【００５７】
係止部７０は、支持部材６０の取付部６１に、固定具３５を係止するための部材である。本願でいう「係止」とは、要素Ａと要素Ｂとが特定の関係（位置関係）を満たした場合に、一方の要素が他方の要素の少なくとも一方向の動きを停止させることを意味する。また、本願でいう「係止」とは、例えば、要素Ａが要素Ｂに直接に接することで要素Ａが要素Ｂに対して係止される場合に限定されず、要素Ａが別部材を介して要素Ｂに関係することで、要素Ａと要素Ｂとが接しない状態で要素Ａが要素Ｂに対して係止される場合も含む。例えば、図２３および図２４を用いて後述するように、本願でいう「係止」とは、別部材であるねじなどによって固定具３５が支持部材６０に固定される場合なども含む。このため、係止部７０は、「固定部」と称されてもよい。
【００５８】
図７に示すように、本実施形態では係止部７０は、固定具本体５３に設けられている。、係止部７０は、例えば、固定具本体５３に埋め込まれた基部７１と、固定具本体５３の外部に突出した突起部７２とを有する。突起部７２は、固定具本体５３から直交方向Ｙに沿って突出した第１部分７２ａと、第１部分７２ａの先端から折れ曲がった第２部分７２ｂとを有する。第２部分７２ｂは、当該第２部分７２ｂと固定具本体５３との間に隙間を空けて、例えばケーブル延伸方向Ｘに延びている。
【００５９】
係止部７０は、支持部材６０の取付部６１に係止部７０の突起部７２が挿入されて突起部７２の第２部分７２ｂが支持部材６０の前壁６３の裏面に引っ掛かることで、支持部材６０から外れなくなる。これにより、係止部７０は、支持部材６０に対して固定具３５を係止する。その結果、ケーブル１４が支持部材６０に対して固定される。本実施形態では、複数のケーブル１４の各々は、上記の係止部７０を有した固定具３５を備えている。複数のケーブル１４の係止部７０は、互いに同じ形状を有する。
【００６０】
次に、固定具本体５３に設けられた取付部８０について説明する。
取付部８０は、複数のケーブル１４に含まれる別のケーブル１４の固定具３５の係止部７０を係止するための部分である。例えば、取付部８０は、別のケーブル１４の固定具３５の係止部７０が挿入される固定穴である。本実施形態では、取付部８０は、第１部分８０ａと、第２部分８０ｂとを有する。
【００６１】
第１部分８０ａは、直交方向Ｙで固定具本体５３の外部に開口している。第１部分８０ａは、直交方向Ｙに沿って見た場合、支持部材６０の取付部６１と略同一形状を有する。すなわち、本実施形態では、第１部分８０ａは、四角形状に形成されている。ただし、第１部分８０ａの形状は、支持部材６０の取付部６１の形状に合わせて、円形状や楕円形状でもよいし、四角形以外の多角形状でもよいし、その他の形状でもよい。また、固定穴は、貫通穴でもよいし、凹部のような有底の穴でもよい。
【００６２】
第２部分８０ｂは、第１部分８０ａのなかで固定具本体５３の内側に奥まった部分から、例えばケーブル延伸方向Ｘに延びている。第２部分８０ｂが第１部分８０ａから延びた方向は、係止部７０の第２部分７２ｂが第１部分７２ａから延びた方向と同じ方向である。第２部分８０ｂと固定具本体５３の表面との間には、固定具本体５３の一部である壁部８３が存在する。複数のケーブル１４の固定具３５の各々は、上記取付部８０を有する。複数のケーブル１４の取付部８０は、互いに同じ形状を有する。
【００６３】
図１０は、本実施形態の固定具３５を利用したケーブル１４の固定方法を示す断面図である。図１０に示すように、本実施形態では、別のケーブル１４の固定具３５の係止部７０は、固定具本体５３の取付部８０に挿入され、係止部７０の第２部分７２ｂが取付部８０の第２部分８０ｂに入って壁部８３の裏面に引っ掛かることで、固定具本体５３から外れなくなる。これにより、別のケーブル１４の固定具３５の係止部７０は、固定具本体５３に対して前記別のケーブル１４の固定具３５を係止する。その結果、別のケーブル１４が固定具本体５３に対して固定される。以上のような固定方法が繰り返されることで、複数（例えば３つ以上）のケーブル１４の固定具３５は、順に積み重ねられて固定可能である。
【００６４】
また、図１０に示すように、固定具３５の係止部７０および取付部８０は、複数のケーブル１４の固定具３５が順に積み重ねられたとき、複数の固定具３５が距離Ｌ３ずつ互いにずれるように配置されている。距離Ｌ３は、例えば、コンセントユニット１３の複数のポート２１ａが配置された間隔Ｌ２および支持部材６０の複数の取付部６１が配置された間隔Ｌ１の少なくとも一方と略同じである。例えば、距離Ｌ３が複数のポート２１ａが配置された間隔Ｌ２と略同じであると、各ケーブル１４の固定具３５と、対応するコンセントユニット１３のポート２１ａとの間の距離（言い換える、各固定具３５とポート２１ａとの間のケーブル１４の長さ）が複数のケーブル１４において互いに略同じとなる。これにより、複数のケーブル１４は、撓みにくい、または撓み量が互いに同じになる。このため、施工性を高めることができる。
【００６５】
次に、係止部７０および取付部８０の配置位置について説明する。
図７に示すように、係止部７０は、固定具本体５３の第１部分５３ａのなかで、第１面部Ｓ１に設けられている。すなわち、係止部７０は、直交方向Ｙで第１ヒューズ５１と並ぶ。係止部７０は、接続導体Ｃの少なくとも一部に対して、第１ヒューズ５１とは反対側に位置する（図５（ｂ）参照）。また、係止部７０は、ケーブル延伸方向Ｘで第２ヒューズ５２とは異なる位置に配置されている。すなわち、係止部７０は、直交方向Ｙで第２ヒューズ５２とは並ばない。
【００６６】
別の観点で見ると、固定具３５は、それぞれケーブル延伸方向Ｘに延びるとともに互いに異なる方向に向いた複数の面を有する。係止部７０は、前記複数の面のなかで、第１ヒューズ５１に最も近い面（第２面部Ｓ２）とは異なる面（第１面部Ｓ１）に設けられている。言い換えると、本実施形態では、係止部７０は、第１ヒューズ５１と第２ヒューズ５２との配置位置が直交方向Ｙで異なることに起因して存在する固定具本体５３のなかでスペース的に比較的余裕がある領域に設けられている。
【００６７】
一方で、取付部８０は、固定具本体５３の第２部分５３ｂのなかで、第２面部Ｓ２に設けられている。すなわち、取付部８０は、直交方向Ｙで第２ヒューズ５２と並ぶ。取付部８０は、接続導体Ｈの少なくとも一部に対して、第２ヒューズ５２とは反対側に位置する（図５（ｃ）参照）。また、取付部８０は、ケーブル延伸方向Ｘで第１ヒューズ５１とは異なる位置に配置されている。すなわち、取付部８０は、直交方向Ｙで第１ヒューズ５１とは並ばない。
【００６８】
別の観点で見ると、取付部８０は、前記複数の面のなかで、第２ヒューズ５２に最も近い面（第１面部Ｓ１、または側面部）とは異なる面（第２面部Ｓ２）に設けられている。言い換えると、本実施形態では、取付部８０は、第１ヒューズ５１と第２ヒューズ５２との配置位置が直交方向Ｙで異なることに起因して存在する固定具本体５３のなかでスペース的に比較的余裕がある領域に設けられている。
【００６９】
以上のような構成によれば、施工性の向上を図ることができるケーブル１４を提供することができる。すなわち、本実施形態のケーブル１４は、固定具３５を有する。固定具３５は、筐体１５内に配置される支持部材６０の取付部６１に固定具３５を係止する係止部７０を有する。このような構成によれば、固定具３５の係止部７０を支持部材６０の取付部６１に取り付ける簡単な作業で、支持部材６０に対してケーブル１４を固定することができる。これにより、施工性を高めることができる。
【００７０】
本実施形態では、固定具３５は、コード部３３に固着されている。このような構成によれば、コード部３３に対して固定具３５を取り付ける作業が必要でなく、また、コード部３３に対してケーブル延伸方向Ｘに固定具３５が意図せず移動することを避けることができる。これにより、施工性をさらに高めることができる。
【００７１】
本実施形態では、支持部材６０の取付部６１は、固定穴である。係止部７０は、前記固定穴に挿入される突起部７２を有する。このような構成によれば、支持部材６０の固定穴に係止部７０の突起部７２を挿入する簡単な作業で支持部材６０の取付部６１に係止部７０を取り付けることができる。これにより、施工性をさらに高めることができる。
【００７２】
本実施形態では、固定具３５は、別のケーブルの固定具３５の係止部７０が係止される取付部８０を有する。このような構成によれば、複数の固定具３５を積み重ねて固定することができる。これにより、支持部材６０の取付部６１の数が不足する場合や、複数の固定具３５を略同じ位置（例えば、略同じ高さ）に固定したい場合でも対応可能になる。これにより、施工性をさらに高めることができる。
【００７３】
本実施形態では、固定具３５は、接続導体Ｈに接続された第１ヒューズ５１を含む。このような構成によれば、固定具３５を利用して第１ヒューズ５１を収容し、ケーブル１４に所望の機能を付与することができる。また別の観点で見ると、本実施形態によれば、ケーブル１４に所望の機能を付与するために設けられた機能部３５の保護部５３が利用されて、支持部材６０の取付部６１に固定可能な固定具３５が実現されている。
【００７４】
本実施形態では、第１ヒューズ５１は、直交方向Ｙで接続導体Ｃと並ぶとともに、直交方向Ｙに沿う断面積が接続導体Ｃよりも大きい。係止部７０は、接続導体Ｃの少なくとも一部に対して第１ヒューズ５１とは反対側に配置されている。このような構成によれば、固定具３５のなかでスペース的に比較的余裕がある領域を利用して係止部７０を設けることができる。これにより、固定具３５の小型化（薄型化）を図ることができる。
【００７５】
本実施形態では、固定具３５は、接続導体Ｃに接続された第２ヒューズ５２を含む。第２ヒューズ５２は、直交方向Ｙで接続導体Ｈと並ぶとともに、直交方向Ｙに沿う断面積が接続導体Ｈよりも大きい。固定具３５の取付部８０は、接続導体Ｈの少なくとも一部に対して第２ヒューズ５２とは反対側に配置されている。このような構成によれば、固定具３５のなかでスペース的に比較的余裕がある領域を利用して取付部８０を設けることができる。これにより、固定具３５の小型化（薄型化）を図ることができる。
【００７６】
以上、第１の実施形態として、筐体１５内に配置された支持部材６０の取付部６１に固定具３５の係止部７０が取り付けられる例について説明した。ただし、取付部６１は、支持部材６０に代えて、筐体１５に設けられてもよい（図９参照）。この場合、取付部６１は、例えば、筐体１５の内壁面に開口した固定穴である。この場合、取付部６１は、例えば上述した固定具３５の取付部８０と同様の形状を有してもよい。固定具３５の係止部７０は、筐体１５に設けられた取付部６１に挿入されて、筐体１５に対して固定具３５を係止してもよい。これは以下の全ての実施形態および変形例でも同様である。すなわち、以下の全ての実施形態および変形例において、支持部材６０の取付部６１は、筐体１５の取付部６１と読み替えられてもよい。
【００７７】
また、取付部６１は、支持部材６０および筐体１５に代えて、コンセントユニット１３に設けられてもよい。例えば、コンセントユニット１３のポート部２１は、筐体１５内で任意の高さに配置されている。コンセントユニット１３は、ポート部２１の外郭を形成するコンセントケース１３ａを有する。取付部６１は、コンセントケース１３ａに設けられてもよい（図９参照）。この場合、取付部６１は、例えば、コンセントケース１３ａに設けられた固定穴である。この場合、取付部６１は、例えば上述した固定具３５の取付部８０と同様の形状を有してもよい。固定具３５の係止部７０は、コンセントケース１３ａに設けられた取付部６１に挿入されて、コンセントケース１３ａに対して固定具３５を係止してもよい。これは以下の全ての実施形態および変形例でも同様である。すなわち、以下の全ての実施形態および変形例において、支持部材６０の取付部６１は、コンセントユニット１３の取付部６１と読み替えられてもよい。なお、本願でいう「コンセントユニット」とは、ケースと、ケースに収容された端子とを有して電源プラグを受けることができるものを広く意味し、特定の機能や形状のものに限定されない。
【００７８】
次に、本実施形態のいくつかの変形例について説明する。なお、以下に説明する変形例は、以下の全ての実施形態と組み合わせて適用可能である。
【００７９】
図１１は、第１変形例のケーブル１４を示す断面図である。図１１に示すように、本変形例では、接続導体４１、第１ヒューズ５１、および第２ヒューズ５２に対する係止部７０および取付部８０の位置が第１の実施形態とは異なる。
【００８０】
上述した第１の実施形態では、第１面部Ｓ１および係止部７０は、第１ヒューズ５１に比べて接続導体Ｃおよび接続導体Ｇの近くに位置するとともに、接続導体Ｃおよび接続導体Ｇの両方に対して略等距離に位置する。また、上述した第１の実施形態では、第２面部Ｓ２および取付部８０は、接続導体Ｇおよび第２ヒューズ５２に比べて接続導体Ｈの近くに位置する。これに対して、本変形例では、第１面部Ｓ１および係止部７０は、接続導体Ｇおよび第１ヒューズ５１に比べて接続導体Ｃの近くに位置する。一方で、第２面部Ｓ２および取付部８０は、第２ヒューズ５２に比べて接続導体Ｇおよび接続導体Ｈの近くに位置するとともに、接続導体Ｇおよび接続導体Ｈの両方に対して略等距離に位置する。このような構成でも、第１の実施形態と同様の効果を奏することができる。
【００８１】
図１２は、第２変形例のケーブル１４を示す断面図である。図１２に示すように、本変形例では、接続導体Ｇおよび第２ヒューズ５２に対する取付部８０の位置が第１の実施形態とは異なる。
【００８２】
上述した第１の実施形態では、第１面部Ｓ１および係止部７０は、第１ヒューズ５１に比べて接続導体Ｃおよび接続導体Ｇの近くに位置するとともに、接続導体Ｃおよび接続導体Ｇの両方に対して略等距離に位置する。また、上述した第１の実施形態では、第２面部Ｓ２および取付部８０は、接続導体Ｇおよび第２ヒューズ５２に比べて接続導体Ｈの近くに位置する。これに対して、本変形例では、機能部３５の内部でコード部３３が捩られており、接続導体Ｈ，接続導体Ｃ，接続導体Ｇの位置が第１部分５３ａと第２部分５３ｂとで異なる。そして、本変形例では、第１面部Ｓ１および係止部７０は、第１の実施形態と同様に、第１ヒューズ５１に比べて接続導体Ｃおよび接続導体Ｇの近くに位置するとともに、接続導体Ｃおよび接続導体Ｇの両方に対して略等距離に位置する。また、本変形例では、第２面部Ｓ２および取付部８０は、第２ヒューズ５２に比べて接続導体Ｇおよび接続導体Ｈの近くに位置するとともに、接続導体Ｇおよび接続導体Ｈの両方に対して略等距離に位置する。このような構成によれば、第１の実施形態と同様の効果を奏することができるとともに、第１の実施形態に比べて固定具３５のさらなる小型化を図ることができる。
【００８３】
（第２の実施形態）
次に、第２の実施形態のケーブル１４について説明する。本実施形態は、固定具本体５３に段差部５３ｃが設けられた点で、第１の実施形態とは異なる。なお、以下に説明する以外の構成は、第１の実施形態と同様である。
【００８４】
図１３は、本実施形態のケーブル１４の一部を示す断面図である。図１３に示すように、本実施形態では、固定具本体５３の第２面部Ｓ２は、固定具本体５３の第１部分５３ａと第２部分５３ｂとの間に段差部５３ｃを有する。これにより、第２部分５３ｂは、直交方向Ｙにおいて、第１部分５３ａよりも薄く形成されている。言い換えると、段差部５３ｃが設けられることで、第２ヒューズ５２と第２面部Ｓ２との間のスペース的に比較的余裕がある領域が、第１の実施形態に比べて薄く形成されている。
【００８５】
このような構成によれば、第１の実施形態と同様の効果を奏することができるとともに、第１の実施形態に比べて固定具３５のさらなる小型化を図ることができる。
【００８６】
（第３の実施形態）
次に、第３の実施形態のケーブル１４について説明する。本実施形態は、固定具本体５３が六角柱状に形成された点で、第１の実施形態とは異なる。なお、以下に説明する以外の構成は、第１の実施形態と同様である。
【００８７】
図１４は、本実施形態のケーブル１４の一部を示す図である。図１４に示すように、本実施形態では、固定具本体５３は、六角柱状に形成されている。固定具本体５３は、第１から第６の面部Ｓ１，Ｓ２，Ｓ３，Ｓ４，Ｓ５，Ｓ６を有する。第１から第６の面部Ｓ１，Ｓ２，Ｓ３，Ｓ４，Ｓ５，Ｓ６は、互いに異なる方向に向いた面を有する。
【００８８】
第１面部Ｓ１には、複数の係止部７０が設けられている。複数の係止部７０は、ケーブル延伸方向Ｘで互いに離れて配置されている。複数の係止部７０は、支持部材６０に設けられた複数の取付部６１の配置間隔と略同じ配置間隔で設けられている。ただし、固定具３５に設けられる係止部７０の数は、１つでもよい。
【００８９】
第３面部Ｓ３には、複数の取付部８０が設けられている。第３面部Ｓ３は、第１面部Ｓ１に対して、１８０°とは異なる方向に向いた面である。例えば、第３面部Ｓ３は、第１面部Ｓ１に対して、１２０°異なる方向に向いた面である。複数の取付部８０は、ケーブル延伸方向Ｘで互いに離れて配置されている。複数の取付部８０は、支持部材６０に設けられた複数の取付部６１の配置間隔と略同じ配置間隔で設けられている。ただし、第３面部Ｓ３に設けられる取付部８０の数は、１つでもよい。
【００９０】
第５面部Ｓ５には、複数の取付部８０が設けられている。第５面部Ｓ５は、第１面部Ｓ１に対して、１８０°とは異なる方向に向いた面である。例えば、第５面部Ｓ５は、第１面部Ｓ１および第３面部Ｓ３に対して、１２０°ずつ異なる方向に向いた面である。複数の取付部８０は、ケーブル延伸方向Ｘで互いに離れて配置されている。複数の取付部８０は、支持部材６０に設けられた複数の取付部６１の配置間隔と略同じ配置間隔で設けられている。ただし、第５面部Ｓ５に設けられる取付部８０の数は、１つでもよい。
【００９１】
図１５は、本実施形態のケーブル１４を示す断面図である。図１５に示すように、第１面部Ｓ１、第３面部Ｓ３、および第５面部Ｓ５は、第１から第６の面部Ｓ１，Ｓ２，Ｓ３，Ｓ４，Ｓ５，Ｓ６のなかで、ケーブル１４の中心Ｐから接続導体Ｇの中心に向かう方向の延長線上、ケーブル１４の中心Ｐから第１ヒューズ５１の中心に向かう方向の延長線上、およびケーブル１４の中心Ｐから第２ヒューズ５２の中心に向かう方向の延長線上から外れて位置する領域である。これら第１面部Ｓ１、第３面部Ｓ３、および第５面部Ｓ５は、接続導体Ｇ、第１ヒューズ５１、および第２ヒューズ５２に対して、第２面部Ｓ２、第４面部Ｓ４、および第６面部Ｓ６よりも遠くに位置する。そして、本実施形態では、これら第１面部Ｓ１、第３面部Ｓ３、および第５面部Ｓ５に、係止部７０および取付部８０が設けられている。
【００９２】
別の観点で見ると、固定具３５は、それぞれケーブル延伸方向Ｘに延びるとともに互いに異なる方向に向いた複数の面を有する。係止部７０は、前記複数の面のなかで、第１ヒューズ５１に最も近い面（第４面部Ｓ４）とは異なる面（例えば第１面部Ｓ１）に設けられている。同様に、取付部８０は、前記複数の面のなかで、第２ヒューズ５２に最も近い面（第６面部Ｓ６）とは異なる面（第３面部Ｓ３、第５面部Ｓ５）に設けられている。
【００９３】
図１６は、本実施形態の固定具３５を利用したケーブル１４の固定方法の一例を示す断面図である。なお以下では、説明の便宜上、複数のケーブル１４に含まれる５本のケーブルを、第１ケーブル１４Ａ、第２ケーブル１４Ｂ、第３ケーブル１４Ｃ、第４ケーブル１４Ｄ、および第５ケーブル１４Ｅと称する場合がある。
【００９４】
図１６に示すように、本実施形態では、第１ケーブル１４Ａの固定具３５の第３面部Ｓ３の取付部８０には、第２ケーブル１４Ｂの固定具３５の係止部７０が係止される。また、第２ケーブル１４Ｂの固定具３５の取付部８０には、第３ケーブル１４Ｃの固定具３５の係止部７０が係止される。同様に、第１ケーブル１４Ａの固定具３５の第５面部Ｓ５の取付部８０には、第４ケーブル１４Ｄの固定具３５の係止部７０が係止される。また、第４ケーブル１４Ｄの固定具３５の取付部８０には、第５ケーブル１４Ｅの固定具３５の係止部７０が係止される。
【００９５】
このような構成によれば、第１の実施形態と同様に、施工性の向上を図ることができるケーブル１４を提供することができる。また本実施形態では、固定具３５は、互いに異なる方向に向いた複数の面を有する。そして、別のケーブル１４の固定具３５の係止部７０が係止される取付部８０が前記複数の面のうち２つ面にそれぞれ設けられている。このような構成によれば、図１６に示すように、１つの固定具３５に対して２つの固定具３５を固定することができる。これにより、より多くの固定具３５を略同じ位置（例えば略同じ高さ）に配置することができる。なお、取付部８０は、第１から第６の面部Ｓ１，Ｓ２，Ｓ３，Ｓ４，Ｓ５，Ｓ６のうち、３つ以上の面部にそれぞれ設けられてもよい。
【００９６】
次に、本実施形態の変形例について説明する。なお、本変形例は、以下の全ての実施形態と組み合わせて適用可能である。
図１７は、変形例のケーブル１４を示す断面図である。図１７に示すように、本変形例では、固定具本体５３は、三角柱状に形成されている。固定具本体５３は、第１から第３の面部Ｓ１，Ｓ２，Ｓ３を有する。第１から第３の面部Ｓ１，Ｓ２，Ｓ３は、互いに異なる方向に向いた面を有する。
【００９７】
第１面部Ｓ１には、複数の係止部７０が設けられている。複数の係止部７０は、ケーブル延伸方向Ｘに互いに離れて配置されている。複数の係止部７０は、支持部材６０に設けられた複数の取付部６１の配置間隔と略同じ配置間隔で設けられている。ただし、固定具３５に設けられる係止部７０の数は、１つでもよい。
【００９８】
第２面部Ｓ２には、複数の取付部８０が設けられている。第２面部Ｓ２は、第１面部Ｓ１に対して、１８０°とは異なる方向に向いた面である。例えば、第２面部Ｓ２は、第１面部Ｓ１に対して、１２０°異なる方向に向いた面である。複数の取付部８０は、ケーブル延伸方向Ｘに互いに離れて配置されている。複数の取付部８０は、支持部材６０に設けられた複数の取付部６１の配置間隔と略同じ配置間隔で設けられている。ただし、第２面部Ｓ２に設けられる取付部８０の数は、１つでもよい。
【００９９】
第３面部Ｓ３には、複数の取付部８０が設けられている。第３面部Ｓ３は、第１面部Ｓ１に対して、１８０°とは異なる方向に向いた面である。例えば、第３面部Ｓ３は、第１面部Ｓ１および第２面部Ｓ２に対して、それぞれ１２０°ずつ異なる方向に向いた面である。複数の取付部８０は、ケーブル延伸方向Ｘに互いに離れて配置されている。複数の取付部８０は、支持部材６０に設けられた複数の取付部６１の配置間隔と略同じ配置間隔で設けられている。ただし、第３面部Ｓ３に設けられる取付部８０の数は、１つでもよい。
【０１００】
図１７に示すように、本実施形態では、第１ケーブル１４Ａの固定具３５の第２面部Ｓ２の取付部８０には、第２ケーブル１４Ｂの固定具３５の係止部７０が係止される。また、第２ケーブル１４Ｂの固定具３５の取付部８０には、第３ケーブル１４Ｃの固定具３５の係止部７０が係止される。同様に、第１ケーブル１４Ａの固定具３５の第３面部Ｓ３の取付部８０には、第４ケーブル１４Ｄの固定具３５の係止部７０が係止される。また、第４ケーブル１４Ｄの固定具３５の取付部８０には、第５ケーブル１４Ｅの固定具３５の係止部７０が係止される。このような構成によれば、第３の実施形態と同様の効果を奏することができる。
【０１０１】
（第４の実施形態）
次に、第４の実施形態のケーブル１４について説明する。本実施形態は、固定具本体５３がケーブル１４の端部でコネクタ３１，３２と一体に設けられた点で、第１の実施形態とは異なる。なお、以下に説明する以外の構成は、第１の実施形態と同様である。
【０１０２】
図１８は、第４の実施形態のケーブル１４を示す斜視図である。本実施形態では、ケーブル１４は、第１固定具（第１機能部）３５Ａと、第２固定具（第２機能部）３５Ｂとを有する。第１固定具３５Ａおよび第２固定具３５Ｂにおいてケーブル１４に付加された電気的機能は、互いに同じでもよく、互いに異なってもよい。本実施形態では、第１固定具３５Ａにおいて、接続導体Ｈに第１ヒューズ５１が介挿されている。一方で、第２固定具３５Ｂにおいて、接続導体Ｃに第２ヒューズ５２が介挿されている。ただし、第１ヒューズ５１および第２ヒューズ５２の両方が第１固定具３５Ａに纏めて設けられてもよく、第２固定具３５Ｂに纏めて設けられてもよい。
【０１０３】
本実施形態では、第１固定具３５Ａは、ケーブル１４の一端部に設けられた外部接続用の第１コネクタ３１と一体に形成されている。「外部接続用」とは、ケーブル１４に対する外部要素（例えば、負荷１２、別のケーブル、またはその他の装置）にケーブル１４を接続するためのコネクタを意味する。第１コネクタ３１は、雄型のコネクタ（電源プラグ）でもよく、雌型のコネクタ（狭義でいう電源コネクタ）でもよい。同様に、第２固定具３５Ｂは、ケーブル１４の他端部に設けられた外部接続用の第２コネクタ３２と一体に形成されている。第２コネクタ３２は、雄型のコネクタでもよく、雌型のコネクタでもよい。
【０１０４】
本実施形態では、第１固定具３５Ａは、係止部７０および取付部８０を有する。同様に、第２固定具３５Ｂは、係止部７０および取付部８０を有する。ただし、係止部７０および取付部８０が設けられるのは、第１固定具３５Ａおよび第２固定具３５Ｂのうちいずれか一方のみでもよい。
【０１０５】
このような構成によれば、第１の実施形態と同様に、施工性の向上を図ることができるケーブル１４を提供することができる。
【０１０６】
（第５の実施形態）
次に、第５の実施形態の固定具９０について説明する。本実施形態は、固定具９０がケーブル１４とは別体として設けられた固定具である点で、第１の実施形態とは異なる。なお、以下に説明する以外の構成は、第１の実施形態と同様である。
【０１０７】
図１９は、第５の実施形態のケーブル１４および固定具９０を示す図である。図１９に示すように、本実施形態では、ケーブル１４は、第１コネクタ３１、第２コネクタ３２、コード部３３、および機能部３５Ｃを有する。機能部３５Ｃは、第１の実施形態の機能部３５と同様に、第１ヒューズ５１、第２ヒューズ５２、および保護部５３を有する。機能部３５Ｃの外形（例えば、直交方向Ｙでの大きさ）は、コード部３３の直径よりも太い。機能部３５Ｃは、コード部３３の途中に設けられてもよく、コネクタ３１，３２と一体に設けられてもよい。
【０１０８】
本実施形態では、固定具９０は、ケーブル１４とは別体として設けられている。固定具９０は、ケーブル１４に対して着脱可能に取り付けられる。なお、本実施形態において、固定具９０とケーブル１４とを合わせて「ケーブルセット」と称してもよい。本実施形態の固定具９０は、保持部９１と、係止部７０とを有する。
【０１０９】
保持部９１は、ケーブル１４に取り付けられ、機能部３５Ｃを保持する部分である。図１９（ｂ）に示すように、保持部９１は、ケーブル１４の機能部３５Ｃを収容する収容部９１ａと、収容部９１ａに収容された機能部３５Ｃを下方から支持する支持壁９１ｂとを有する。支持壁９１ｂには、コード部３３が通される貫通穴９１ｃが設けられている。また、図１９（ａ）に示すように、保持部９１には、直交方向Ｙに沿って保持部９１の側方から収容部９１ａおよび貫通穴９１ｃの内部に向けてコード部３３を通す挿通溝９１ｄが設けられている。挿通溝９１ｄの幅Ｗは、例えば、機能部３５Ｃの幅（例えば直径）Ｄよりも小さく、コード部３３の幅（直径）ｄよりも大きい。固定具９０は、直交方向Ｙに沿ってコード部３３が挿通溝９１ｄに通されて収容部９１ａおよび貫通穴９１ｃの内部に案内された後、ケーブル延伸方向Ｘに沿って機能部３５Ｃに向けて移動されることで機能部３５Ｃが収容部９１ａの内部に収容される。このような構成によれば、ケーブル１４の途中に固定具９０を容易に取り付けることができる。
【０１１０】
そして、本実施形態では、保持部９１には、第１の実施形態の固定具３５と同様に、係止部７０および取付部８０が設けられている。係止部７０は、例えば筐体１５内に配置される支持部材６０の取付部６１に挿入され、支持部材６０の取付部６１に保持部９１を係止する。取付部８０には、例えば、別の固定具９０の係止部７０が係止される。
【０１１１】
このような構成によれば、第１の実施形態のケーブル１４と同様に、施工性の向上を図ることができる固定具９０を提供することができる。ただし、固定具９０の形状は、上記例に限定されない。固定具９０の形状は、種々の目的に応じて適宜決めることができる。
【０１１２】
（第６の実施形態）
次に、第６の実施形態の保護具（保持具）１００について説明する。本実施形態は、２つのケーブルのコネクタ同士の接続を保持する保護具１００に係止部７０および取付部８０が設けられた点で、第１の実施形態とは異なる。なお、以下に説明する以外の構成は、第１の実施形態と同様である。
【０１１３】
図２０は、第６の実施形態のケーブル１４および保護具１００を示す図である。図２０に示すように、本実施形態では、第１ケーブル１４ａの端部に設けられた第１コネクタ３１ａと、第２ケーブル１４ｂの端部に設けられた第２コネクタ３１ｂとが互いに接続されている。例えば、第１コネクタ３１ａは、雄型コネクタまたは雌型コネクタのいずれか一方であり、第２コネクタ３１ｂは、雄型コネクタまたは雌型コネクタのいずれか他方である。
【０１１４】
保護具１００は、第１コネクタ３１ａと第２コネクタ３１ｂとが離れないように、第１コネクタ３１ａおよび第２コネクタ３１ｂに取り付けられ、第１コネクタ３１ａおよび第２コネクタ３１ｂを保持する（位置を拘束する）保持部１００ａを有する。保持部１００ａは、例えば、第１部分１０１、第２部分１０２、第３部分１０３、第４部分１０４、および第５部分１０５を有する。第１部分１０１は、第１コネクタ３１ａと第２コネクタ３１ｂとが並ぶ方向に延びており、第１コネクタ３１ａおよび第２コネクタ３１ｂと略平行に位置する。第２部分１０２は、第１部分１０１の第１端部１０１ａから折れ曲がり、第１コネクタ３１ａに対して第２コネクタ３１ｂとは反対側に位置する。第２部分１０２は、第１コネクタ３１ａが第２コネクタ３１ｂから離れる方向に移動することを規制する。第３部分１０３は、第２部分１０２の端部からさらに折れ曲がり、第１コネクタ３１ａに対して第１部分１０１とは反対側に位置する。同様に、第４部分１０４は、第１部分１０１の第２端部１０１ｂから折れ曲がり、第２コネクタ３１ｂに対して第１コネクタ３１ａとは反対側に位置する。第４部分１０４は、第２コネクタ３１ｂが第１コネクタ３１ａから離れる方向に移動することを規制する。第５部分１０５は、第４部分１０４の端部からさらに折れ曲がり、第２コネクタ３１ｂに対して第１部分１０１とは反対側に位置する。
【０１１５】
本実施形態では、保護具１００の第１部分１０１には、係止部７０が設けられている。係止部７０は、例えば筐体１５内に配置される支持部材６０の取付部６１に挿入され、支持部材６０の取付部６１に保持部１００ａを係止する。一方で、保護具１００の第３部分１０３には、取付部８０が設けられている。取付部８０は、例えば、第３部分１０３を貫通した固定穴である。取付部８０には、例えば、別の保護具１００の係止部７０が係止される。
【０１１６】
このような構成によれば、第１の実施形態のケーブル１４と同様に、施工性の向上を図ることができる保護具１００を提供することができる。ただし、保護具１００の形状は、上記例に限定されない。保護具１００の形状は、種々の目的に応じて適宜決めることができる。
【０１１７】
（第７の実施形態）
次に、第７の実施形態の保護具（保持具）１１０について説明する。本実施形態は、ケーブル１４のコネクタ３１ａが係止部７０および取付部８０を有し、保護具１１０が係止部７０および取付部８０を外れた位置で第１コネクタ３１ａと第２コネクタ３１ｂとを保持する点で、第１の実施形態とは異なる。なお、以下に説明する以外の構成は、第１の実施形態と同様である。
【０１１８】
図２１は、本実施形態のケーブル１４および保護具１１０を示す図である。図２１に示すように、本実施形態では、第１ケーブル１４ａの第１コネクタ３１ａは、第４の実施形態と同様に、係止部７０および取付部８０を有する。
【０１１９】
本実施形態では、保護具１１０は、例えば、第６の実施形態と同様に、第１から第５の部分１０１，１０２，１０３，１０４，１０５を含む保持部１１０ａを有する。保持部１１０ａは、係止部７０および取付部８０を外れた位置で第１コネクタ３１ａと第２コネクタ３１ｂとを拘束する。例えば、第１部分１０１は、コネクタ３１ａの係止部７０が通される開口部１０１ｃを有する。そして、コネクタ３１ａの係止部７０を外れた位置で、第２部分１０２と第４部分１０４とを連結している。また、保持部１１０ａは、コネクタ３１ａの取付部８０を覆わない形状に形成されている。
【０１２０】
このような構成によれば、第１の実施形態のケーブル１４と同様に、施工性の向上を図ることができる保護具１１０を提供することができる。すなわち、それぞれ保護具１１０が取り付けられた複数のコネクタ３１ａを、互いに積み重ねて固定することができる。ただし、保護具１１０の形状は、上記例に限定されない。保護具１１０の形状は、種々の目的に応じて適宜決めることができる。
【０１２１】
（第８の実施形態）
次に、第８の実施形態の電気接続具１２０について説明する。本実施形態は、２つのケーブル１４ａ，１４ｂのコネクタ３１ａ，３１ｂが接続される電気接続具１２０に係止部７０および取付部８０が設けられた点で、第１の実施形態とは異なる。なお、以下に説明する以外の構成は、第１の実施形態と同様である。
【０１２２】
図２２は、本実施形態のケーブル１４および電気接続具１２０を示す図である。図２２に示すように、第１コネクタ３１ａは、電気接続具１２０に着脱可能に接続される。電気接続具１２０は、第１ケーブル１４ａの第１コネクタ３１ａと第２ケーブル１４ｂの第２コネクタ３１ｂとの間に配置され、第１ケーブル１４ａの第１コネクタ３１ａと第２ケーブル１４ｂの第２コネクタ３１ｂとを電気的に接続する。電気接続具１２０は、例えば、第１コネクタ３１ａが電気接続具１２０から外れることを防止するロック機構１２１を有する。ロック機構１２１は、例えば、第１コネクタ３１ａに設けられた凹部１２１ａに係合する係合部１２１ｂと、係合部１２１ｂを移動させる機械式スイッチ１２１ｃとを含む。なお、電気接続具１２０は、係合部１２１ｂが凹部１２１ａの外部に移動されることに連動させて、第１コネクタ３１ａと電気接続具１２０との間の電気的接続を遮断する遮断機構１２２を有してもよい。遮断機構１２２は、電気部品（電気機能素子）の一例である。一方で、第２コネクタ３１ｂは、例えば、ねじのような固定具で電気接続具１２０に固定されている。
【０１２３】
そして、本実施形態では、電気接続具１２０は、第１の実施形態の固定具３５と同様に、係止部７０および取付部８０を有する。係止部７０は、例えば筐体１５内に配置される支持部材６０の取付部６１に挿入され、支持部材６０の取付部６１に電気接続具１２０を係止する。取付部８０には、例えば、別の電気接続具１２０の係止部７０が係止される。
【０１２４】
このような構成によれば、第１の実施形態のケーブル１４と同様に、施工性の向上を図ることができる電気接続具１２０を提供することができる。ただし、電気接続具１２０の形状は、上記例に限定されない。電気接続具１２０の形状は、種々の目的に応じて適宜決めることができる。
【０１２５】
次に、図２３を参照して、全ての実施形態の係止部７０、取付部６１、および取付部８０の第１変形例について説明する。図２３に示すように、本変形例では、支持部材６０の取付部６１には、取付具１３０が取り付けられる。取付具１３０は、例えば、支持部材６０の取付部６１に着脱可能に取り付けられるケージナットである。例えば、取付具１３０は、本体部１３１と、本体部１３１に支持されるとともに支持部材６０の取付部６１に係合する係合部１３２と、本体部１３１に設けられたねじ穴１３３とを有する。ねじ穴１３３は、ねじ溝を有する。
【０１２６】
本変形例の固定具３５の係止部７０は、支持部材６０の取付部６１に取り付けられた取付具１３０に向けてねじ１４０が通されるねじ穴７０ａを有する。ねじ穴７０ａは、例えばねじ溝を有しない挿通穴である。本変形例では、ねじ穴７０ａに通されたねじ１４０が取付具１３０のねじ穴１３３に係合することで、固定具３５が支持部材６０の取付部６１に係止される。
【０１２７】
また、本変形例では、固定具３５の取付部８０は、例えば、取付具１３０が着脱可能に取り付けられる固定穴である。すなわち、固定具３５の取付部８０には、取付具１３０が取り付けられる。そして、固定具３５の取付部８０に取り付けられた取付具１３０のねじ穴１３３に対して別のケーブル１４の固定具３５の係止部７０のねじ穴７０ａに通されたねじ１４０が係合することで、複数の固定具３５が重ねて固定される。このような係止部７０、取付部６１、および取付部８０は、上述した全ての実施形態および変形例に適用することができる。このような構成にであっても、上述した全ての実施形態と同様の効果を奏することができる。
【０１２８】
次に、図２４を参照して、全ての実施形態の係止部７０、取付部６１、および取付部８０の第２変形例について説明する。本変形例は、固定具３５の取付部８０が取付具１３０が取り付けられる固定穴に代えて、ねじ１４０が係合可能なねじ穴１３３を有した点で、第１変形例と異なる。なお、以下に説明する以外の構成は、第１変形例と同様である。
【０１２９】
図２４に示すように、本変形例では、固定具３５の取付部８０は、ねじ１４０が係合可能なねじ穴１３３を有する。ねじ穴１３３は、ねじ溝を有する。本変形例では、固定具３５の取付部８０のねじ穴１３３に対して別のケーブル１４の固定具３５の係止部７０のねじ穴７０ａに通されたねじ１４０が係合することで、複数の固定具３５が重ねて固定される。このような係止部７０、取付部６１、および取付部８０は、上述した全ての実施形態および変形例に適用することができる。このような構成にであっても、上述した全ての実施形態と同様の効果を奏することができる。
【０１３０】
以上、第１および第８の実施形態について説明した。ただし、実施形態の構成は、上記例に限定されない。例えば、上述した全ての実施形態において、ケーブル１４の固定具３５、固定具９０、保護具１００、および電気接続具１２０に設けられる電気部品（電気機能素子）は、ヒューズに限らず、各種の抵抗、インダクタ、コンデンサ、信号のノイズをカットするための種々のフィルタ、不具合発生時の大電流を遮断するためのブレーカ、落雷から装置を守るＳＰＤ（サージプロテクトデバイス）、電圧を変換したり安定化させるための変換器などから選ばれる１つ以上の電気部品でもよい。また、ケーブル１４の固定具３５、固定具９０、保護具１００、および電気接続具１２０は、電気部品を有しなくてもよい。また、１つの給電システム１において、上述したようなケーブル１４の固定具３５、固定具９０、保護具１００、および電気接続具１２０が組み合わされて使用されてもよい。すなわち、固定具３５の取付部８０に、固定具９０や保護具１００、または電気接続具１２０の係止部７０が係止されてもよく、他の組み合わせが実現されてもよい。
【符号の説明】
【０１３１】
１４…ケーブル、１５…筐体、３１，３２…コネクタ、３５…固定具（機能部）、４１…接続導体、Ｈ…第１接続導体、Ｃ…第２接続導体、６０…支持部材、６１…支持部材の取付部、７０…係止部、７１…基部、７２…突起部、８０…固定具の取付部、Ｓ１…第１面部、Ｓ２…第２面部、９０…固定具、３５Ｃ…機能部、９１…保持部、１００…保護具、１０１ａ…保持部、１４ａ…第１ケーブル、１４ｂ…第２ケーブル、３１ａ…第１コネクタ、３１ｂ…第２コネクタ、１１０…保護具、１２０…電気接続具、１４０…ねじ
【図１】
2018174109.tif 000003
【図２】
2018174109.tif 000004
【図３】
2018174109.tif 000005
【図４】
2018174109.tif 000006
【図５】
2018174109.tif 000007
【図６】
2018174109.tif 000008
【図７】
2018174109.tif 000009
【図８】
2018174109.tif 000010
【図９】
2018174109.tif 000011
【図１０】
2018174109.tif 000012
【図１１】
2018174109.tif 000013
【図１２】
2018174109.tif 000014
【図１３】
2018174109.tif 000015
【図１４】
2018174109.tif 000016
【図１５】
2018174109.tif 000017
【図１６】
2018174109.tif 000018
【図１７】
2018174109.tif 000019
【図１８】
2018174109.tif 000020
【図１９】
2018174109.tif 000021
【図２０】
2018174109.tif 000022
【図２１】
2018174109.tif 000023
【図２２】
2018174109.tif 000024
【図２３】
2018174109.tif 000025
【図２４】
2018174109.tif 000026